(57)【特許請求の範囲】
【請求項１】
円盤状の固定板にこの固定板の表面を覆うように手摺りの基部の円盤状の台座を重ねると共に固定板に対して台座が固定板の中央を中心に回転自在になるように連結し、便器の手摺り取り付け部に固定板を配置すると共に固定板に設けた取り付け穴から手摺り取り付け部に取り付けねじを螺入して固定板を手摺り取り付け部に固定し、上記取り付けねじを締結するために工具の先端を挿入し得るねじ締結操作用穴を上記台座に上記取り付け穴と同心円上に位置するように設けて成ることを特徴とする便器の手摺り取り付け構造。
【請求項２】
手摺りが非使用状態になるように手摺りを回転したときねじ締結操作用穴と取り付け穴とが合致し、手摺りが使用状態になるように回転したときねじ締結操作用穴と取り付け穴とが合致しないようにしたことを特徴とする請求項１記載の便器の手摺り取り付け構造。
【請求項３】
取り付け穴に挿通した取り付けねじの頭の径よりねじ締結操作用穴の径を小さくしたことを特徴とする請求項１または請求項２記載の便器の手摺り取り付け構造。
【発明の詳細な説明】
【０００１】
【発明の属する技術分野】
本発明は、用便時に肘を掛けることができる手摺りを便器に取り付ける構造に関し、詳しくは便器に手摺りを取り付ける際の美観を向上したり、取り付けねじを緩みを防止したり、取り付け作業性を向上したりする構造に関するものである。
【０００２】
【従来の技術】
従来より、用便時に肘を掛ける手摺りを備えた便器としては例えば特開２０００−１５７４５６に開示されるものがある。このような手摺りを取り付ける場合、便器の手摺り取り付け部に手摺りを取り付け用のねじで取り付けるが、手摺りを使用状態と非使用状態とで回転する構造とする場合、図９、図１０に示すように構成されている。
【０００３】
円盤状の固定板ａの外周部には複数個の取り付け穴ｂを穿孔してあり、固定板ａの中央には円柱状のボスｃを突設してあり、固定板ａの取り付け穴ｂとボスｃとの間にはスライド溝ｄを穿設してある。回転筒ｅには手摺り１のアーム部２を溶接にて一体に連結してあり、ボスｃを回転筒ｅ内に回転自在に挿通してあり、回転筒ｅのストッパー突起ｈをスライド溝ｄにスライド自在に嵌合してある。固定板ａを回転筒ｅとの間のボスｃの外周には一対の皿ばねｆと軸受け筒ｇを介装してある。ボスｃを回転筒ｅに挿通した状態で六角ボルトのような取り付けボルトｉが固定板ａと反対側からボスｃの先端の雌ねじ穴ｊに螺合されてボスｃに回転筒ｅが取り付けられる。ボスｃと取り付けボルトｉとの間には軸受け筒ｇ、平座金ｋ、スプリング座金ｍを介装してあり、取り付けボルトｉにキャップｎを被嵌してある。便器３には手摺り取り付け具４を装着してあり、手摺り取り付け具４の手摺り取り付け部５に上記固定板ａを当接し、固定板ａの取り付け穴ｂから取り付けねじｐを手摺り取り付け部５に螺入して手摺り１を上下に回動自在に取り付けてある。そしてこの手摺り１は、図３に示すように通常手摺り１として使用する場合は肘掛け部６が水平になるようにし、また清掃時などは便器３の後方に向かって跳ね上げるようにしておくことができる。
【０００４】
【発明が解決しようとする課題】
しかし上記従来例のような回転式手摺りの構造の場合、固定板ａの外に露出する取り付け穴ｂから取り付けねじｐを螺合することで取り付ける構造であるため、取り付けねじｐが十分に締め込まれないまま使用されたり、あるいは長期間にわたる使用中に振動などにより取り付けねじｐの緩みを生じたりするおそれがある。また取り付けねじｐの頭が露出しているために美観を損ねるという問題もある。また手摺り１を取り付ける場合、片手で手摺り１を支持しながら取り付けねじｐを取り付け穴ｂに挿入して締め込む作業が必要で、取り付けがしにくく、特に狭いトイレ室での作業では取り付けねじｐの紛失などのおそれもある。また手摺り１を上下に回動させて跳ね上げ降ろし操作する際、皿ばねｆの力で手摺り１を自立させることができるようになっているが、跳ね上げ降ろし動作を繰り返して行うと、徐々に取り付けボルトｉが緩んでくる場合があり、この緩みが生じると、手摺りを任意の位置で自立させることができないという問題がある。
【０００５】
本発明は上記の点に鑑みてなされたものであり、取り付けねじが十分に締め込まれない状態で使用されたり、長期に亙る使用中に振動などで取り付けねじが緩んだりするおそれがなく、しかも使用中に取り付けねじの頭が露出して外観が悪くならなく、さらに手摺りの取り付けねじによる取り付けの作業性を向上できる便器の手摺り取り付け構造を提供することを課題とするものである。
【０００６】
【課題を解決するための手段】
上記課題を解決するための本発明の便器の手摺り取り付け構造は、円盤状の固定板８にこの固定板８の表面を覆うように手摺り１の基部の円盤状の台座９を重ねると共に固定板８に対して台座９が固定板８の中央を中心に回転自在になるように連結し、便器３の手摺り取り付け部５に固定板８を配置すると共に固定板８に設けた取り付け穴１０から手摺り取り付け部５に取り付けねじ１１を螺入して固定板８を手摺り取り付け部５に固定し、上記取り付けねじ１１を締結するために工具の先端を挿入し得るねじ締結操作用穴１２を上記台座９に上記取り付け穴１０と同心円上に位置するように設けて成ることを特徴とする。固定板８の取り付け穴１０に挿通した取り付けねじ１１を取り付け穴１０に合致した台座９のねじ締結操作用穴１２から締め付けることで固定板８を取り付けることができる。このとき取り付けねじ１１を締め込まないと、取り付けねじ１１に当って台座９を回転できないために取り付けねじ１１を十分締め込まれないまま使用されるおそれがなくなる。また手摺り１が所定の角度以外のときは取り付け穴１０とねじ締結操作用穴１２が合致しないために台座９で取り付けねじ１１の頭が押さえられて長期間にわたる使用中に振動などにより取り付けねじ１１に緩みを生じるおそれがない。また取り付け穴１０とねじ締結操作用穴１２とを合致させる時以外は取り付けねじ１１の頭が露出しないために外観が向上する。
【０００７】
また手摺り１が非使用状態になるように手摺り１を回転したときねじ締結操作用穴１２と取り付け穴１０とが合致し、手摺り１が使用状態になるように回転したときねじ締結操作用穴１２と取り付け穴１０とが合致しないようにしたことを特徴とすることも好ましい。この場合、手摺り１の使用状態では取り付けねじ１１の頭が露出しなくて一層外観がよくなる。
【０００８】
また取り付け穴１０に挿通した取り付けねじ１１の頭の径よりねじ締結操作用穴１２の径を小さくしたことを特徴とすることも好ましい。この場合、取り付け穴１０に取り付けねじ１１を挿通した状態で固定板８に台座９を連結しておけば、取り付けねじ１１が取り付け穴１０に保持され、手摺り１を取り付けるとき、手摺り１を片手で支持しながら取り付けねじ１１を取り付け穴１０に挿入する必要がなくなり、取り付けねじ１１の取り付けが容易になって手摺り１の取り付けの作業性を向上できると共に取り付けねじ１１の紛失を防止できる。
【００１０】
【発明の実施の形態】
図３に示すように便器３の両側には手摺り１が上下に回転自在になるように装着してある。この手摺り１は肘掛け６とアーム部２とを有し、アーム部２の基部が便器３の手摺り取り付け具４に回転自在に装着されている。この手摺り１は肘掛け部６が水平になるように降ろした状態が使用状態であり、手摺り１を便器３の後方に跳ね上げた状態が非使用状態である。
【００１１】
手摺り１を便器３の手摺り取り付け具４に回転自在に取り付ける構造の一例を図１や図２に示す。固定板８は円盤状であって、中央に軸穴１４を穿孔してあり、固定板８の外周には一対の取り付け穴１０を貫通するように穿孔してあり、固定板８の取り付け穴１０と軸穴１４との間にはスライド溝１９を円弧状に穿設してある。上記取り付け穴１０は本例の場合皿状の座ぐり穴である。固定板８に回転自在に連結する台座９は固定板８と略同じ外径の円盤状に形成されており、台座９の表面側の中央には手摺り１のアーム部２の基部が溶接にて一体に結合されている。この円盤状の台座９の外周には一対のねじ締結操作用穴１２を穿孔してあるが、このねじ締結操作用穴１２は上記取り付け穴１０と同心円上に位置するように穿孔してある。台座９の裏面の中央には回転軸１３を突設してあり、回転軸１３の先端にはボルト部１６を突設してある。台座９の裏面には回転軸１３と取り付け穴１２との間でストッパーピン２０を突設してある
固定板８と台座９との間に介装されるスペーサ２１は台座９と略同径の円盤状に滑性のある合成樹脂にて形成されており、スペーサ２１の中央には軸穴２２が穿孔されている。スペーサ２１の外周には台座９のねじ締結操作用穴１２に対応するように挿通穴２３が穿孔されており、またスペーサ２１の外周には複数個の窓穴２４が穿孔されており、この窓穴２４に夫々ウェーブワッシャー３０を嵌め込んである。このスペーサ２１の軸穴２２と窓穴２４との間にはストッパーピン２０を挿通するため透孔２５を穿孔してある。固定板８に台座９を回転自在に連結するとき、固定板８と台座９との間にスペーサ２１が介装される。台座９の裏面側にスペーサ２１が重なった状態で、台座９の回転軸１３がスペーサ２１の軸穴２２に挿通されると共にスペーサ２１の透孔２５にストッパーピン２０が挿通され、台座９のねじ締結操作用穴１２とスペーサ２１の挿通穴２３とが対応させられる。固定板８と台座９とが重なった状態で、台座９の回転軸１３が固定板８の軸穴１４に挿通されると共にストッパーピン２０が固定板８のスライド溝１９にスライド自在に嵌合される。このように固定板８とスペーサ２１と台座９を重ねた状態で、固定板８の裏面に突出するボルト部１６に平ワッシャーのようなワッシャー３１を介して六角ナットのようなナット１５が螺合され、ナット１５を締め付けることで固定板８に対して台座９が回転自在になるように連結される。このとき固定板８に対して台座９が回転するがストッパーピン２０がスライド溝１９に対してスライドする範囲だけスライドするようになっている。また固定板８に対して台座９を回転したとき、所定角度で固定板８の取り付け穴１０にスペーサ２１の挿通穴２３や台座９のねじ締結操作用穴１２が合致するようになっているが、本例の場合、手摺り１を台座９と一緒に非使用位置に回転した位置で合致するようになっている。
【００１２】
便器３には従来例でも述べたように手摺り取り付け具４を取り付けてあり、手摺り取り付け具４の手摺り取り付け部５に上記手摺り１の固定板８を取り付けるようになっている。手摺り取り付け部５には固定板１の取り付け穴１０に対応するように雌ねじ穴２６を穿孔してあり、この雌ねじ穴２６と取り付け穴１０を対応させた状態で、取り付け穴１０から皿ビスのような取り付けねじ１１を雌ねじ穴２６に螺合することで固定板８を手摺り取り付け部５に固定するようになっている。取り付けねじ１１で取り付けるとき、取り付け穴１０と挿通穴２３やねじ締結操作用穴１２とが合致するように台座９が回転され（本例の場合、手摺り１が非使用位置になるように回転され）、取り付けねじ１１がねじ締結操作用穴１２から挿通穴２３を介して取り付け穴１０に挿通され、ねじ締結操作用穴１２から取り付けねじ１１の頭部をドライバーのような工具で操作して締め付けられる。
【００１３】
上記のように固定板８を手摺り取り付け部５に取り付けて手摺り１を取り付けるが、取り付けねじ１１の締結が不十分なまま、手摺り１を回転させようとすると、固定板８の表面より突出した取り付けねじ１１の頭が台座９と連動して回転するスペーサ２１に干渉するために手摺り１が回転しなく、取り付けねじ１１の締結が不十分な状態で使用されるおそれがない。つまり、取り付けねじ１１を十分に締め付けないと使用できる状態にならないため、取り付けねじ１１の締め付けが不十分なる施工をしてしまうことがない。手摺り１を回転操作することにより手摺り１を使用状態にしたり、非使用状態にしたりできるようになっているが、図２（ａ）のように手摺り１を跳ね上げたとき非使用状態になり、図２（ｂ）のように肘掛け部６が水平になるように手摺り１を降ろしたとき使用状態となる。上記のように手摺り１を跳ね上げた非使用状態では取り付け穴１０とねじ締結操作用穴１２とが合致して取り付けねじ１１の頭が見えるが、手摺り１を降ろした使用状態では取り付け穴１０とねじ締結操作用穴１２がずれて取り付けねじ１１の頭が見えなくなり、外観がよくなる。上記のように手摺り１を回転操作して長期に亙って使用しても、取り付けねじ１１が緩むのを阻止するようにスペーサ２１が干渉し（取り付けねじ１１が振動で緩もうとしても手摺り１の回転操作でスペーサ２１が緩まないように干渉する）、取り付けねじ１１の緩みが発生するおそれがない。
【００１４】
次に手摺り１を便器３の手摺り取り付け具４に回転自在に取り付ける構造の他の例を図４や図５に示す。本例も図１や図２に示すもの基本的に同じであり、異なる点だけを主に述べる。上記例では、台座９に設けるねじ締結操作用穴１２の径が取り付けねじ１１の頭の径より大きくて取り付けねじ１１がねじ締結操作用穴１２から挿入できるようになっていたが、本例ではねじ締結操作用穴１２の径を取り付けねじ１１の頭の径よりも小さくしてある。本例の場合、固定板８にスペーサ２１を介して台座９を回転自在に連結する前に固定板８の取り付け穴１０に取り付けねじ１１を挿通してあり、その後、スペーサ２１を介して固定板８に台座９を回転自在に連結してあり、取り付け穴１０に取り付けねじ１１を脱落しないように組み込んである。このように取り付け穴１０に取り付けねじ１１を組み込んであると、片手で手摺り１を持って取り付けねじ１１と手摺り取り付け部５の雌ねじ穴２６を対応させ、ねじ締結操作用穴１２からドライバーのような工具を挿入して取り付けねじ１１を締め付ける操作ができて手摺り１の取り付けが容易にできる。つまり、取り付けねじ１１をねじ締結操作用穴１２から挿入する必要がなく、ねじ締結操作用穴１２から取り付けねじ１１を締め込むだけで手摺り１の取り付けができ、取り付け作業が容易になると共に取り付けねじ１１の紛失を防ぐこともできる。
【００１５】
次に手摺り１を便器３の手摺り取り付け具４に回転自在に取り付ける構造のさらに他の例を図６乃至図８に示す。本例も図１や図２に示すものと基本的に同じであり、異なる点だけを主に述べる。上記例では固定板８と台座９との間に滑性のある合成樹脂のスペーサ２１を介装したが、本例では固定板８と台座９との間の回転軸１３の外周に一対の皿ばね２８を介装してある。また手摺り取り付け具４の手摺り取り付け部５にはナット１５を収納するための収納穴１７を設けてあるが、この収納穴１７はナット１５の形状に合致する六角形状に形成されている。つまり、ナット１５の外形よりやや大きさの大きい六角形状の収納穴１７が設けられている。そして固定板８の取り付け穴１０に挿通した取り付けねじ１１を締結することで手摺り１を取り付けたときナット１５が収納穴１７に収納される。このようにナット１５が収納穴１７に収納されることにより手摺り１を回転してもナット１５が緩むことがなく、長期間の使用でも皿ばね２８の力で手摺り１は自立する。つまり、手摺り１を降ろしたときナット１５と収納穴１７の位置関係は図８（ｂ）の状態になり、手摺り１を跳ね上げたときナット１５と収納穴１７の位置関係は図８（ｃ）の状態になる。
【００１６】
【発明の効果】
本発明の請求項１の発明は、円盤状の固定板にこの固定板の表面を覆うように手摺りの基部の円盤状の台座を重ねると共に固定板に対して台座が固定板の中央を中心に回転自在になるように連結し、便器の手摺り取り付け部に固定板を配置すると共に固定板に設けた取り付け穴から手摺り取り付け部に取り付けねじを螺入して固定板を手摺り取り付け部に固定し、上記取り付けねじを締結するために工具の先端を挿入し得るねじ締結操作用穴を上記台座に上記取り付け穴と同心円上に位置するように設けたので、固定板の取り付け穴に挿通した取り付けねじを取り付け穴に合致した台座のねじ締結操作用穴から締め付けることで固定板を取り付けることができるが、このとき取り付けねじを締め込まないと、取り付けねじに当って台座を回転できないために取り付けねじを十分締め込まれないまま使用されるおそれがなくなるものであり、しかも手摺りが所定の角度以外のときは取り付け穴とねじ締結操作用穴が合致しないために台座で取り付けねじの頭が押さえられて長期間にわたる使用中に振動などにより取り付けねじに緩みを生じるおそれがないものであり、また取り付け穴とねじ締結操作用穴とを合致させる時以外は取り付けねじの頭が露出しないために外観が向上するものである。
【００１７】
また本発明の請求項２の発明は、請求項１において、手摺りが非使用状態になるように手摺りを回転したときねじ締結操作用穴と取り付け穴とが合致し、手摺りが使用状態になるように回転したときねじ締結操作用穴と取り付け穴とが合致しないようにしたので、手摺りの使用状態では取り付けねじの頭が露出しなくて一層外観よくなるものである。
【００１８】
また本発明の請求項３の発明は、請求項１または請求項２において、取り付け穴に挿通した取り付けねじの頭の径よりねじ締結操作用穴の径を小さくしたので、取り付け穴に取り付けねじを挿通した状態で固定板に台座を連結しておけば、取り付けねじが取り付け穴に保持されるものであって、手摺りを取り付けるとき、手摺りを片手で支持しながら取り付けねじを取り付け穴に挿入する必要がなくなり、取り付けねじの取り付けが容易になって手摺りの取り付けの作業性を向上できると共に取り付けねじの紛失を防止できるものである。
【図面の簡単な説明】
【図１】本発明の実施の形態の一例を示す分解斜視図である。
【図２】（ａ）（ｂ）は同上の手摺りの動作を説明する概略正面図である。
【図３】同上の便器全体を示し、（ａ）は平面図、（ｂ）は正面図、（ｃ）は側面図である。
【図４】同上の他の例の分解斜視図である。
【図５】同上の組み立て状態の要部の断面図である。
【図６】同上の他の例の分解斜視図である。
【図７】同上の一部切欠分解正面図である。
【図８】（ａ）（ｂ）（ｃ）は同上のナットを収納穴の関係を示す説明図である。
【図９】従来例を示す分解斜視図である。
【図１０】従来例を示す一部切欠分解正面図である。
【符号の説明】
１  手摺り
８  固定板
９  台座
１０  取り付け穴
１１  取り付けねじ
１２  ねじ締結操作用穴
１３  回転軸
１４  軸穴
１５  ナット
１６  ボルト部
１７  収納穴
【図１】
0003617493.tif 000002
【図２】
0003617493.tif 000003
【図３】
0003617493.tif 000004
【図４】
0003617493.tif 000005
【図５】
0003617493.tif 000006
【図６】
0003617493.tif 000007
【図７】
0003617493.tif 000008
【図８】
0003617493.tif 000009
【図９】
0003617493.tif 000010
【図１０】
0003617493.tif 000011